(57)【要約】      （修正有）【課題】各種コンテンツを適切に分類してユーザに提供することが可能なコンテンツ提供装置を提供する。【解決手段】本発明のコンテンツ提供装置は、各種コンテンツを第１設定基準に基づいてアイコン化させて分類するアイコン１１０部と、アイコン部で生成されたアイコンを第２設定基準に基づいて再分類するテーマ部１２０とを含む。アイコン部とテーマ部を含むことにより、ネットワークを介して確認することが可能な各種コンテンツをユーザのニーズに答えるように分類する。【選択図】図１
2017142763.tif 000002
【特許請求の範囲】
【請求項１】
各種コンテンツを第１設定基準に基づいてアイコン化させて分類するアイコン部；及び
前記アイコン部で生成されたアイコンを第２設定基準に基づいて再分類するテーマ部；を含む、コンテンツ提供装置。
【請求項２】
前記テーマ部は、前記アイコンとは無関係な付加コンテンツに選択されたアイコンを組み合わせたプログラムテーマ、特定のアイコンに関連するコンテンツを前記アイコン部及びインターネット上で検索及び整理統合して前記特定のアイコンに付加するスペシャルテーマ、複数選択されたアイコンを統合するコワークテーマ、及び最近分類された新しいアイコンを提供するルーキーテーマの少なくとも一つに前記アイコンを再分類することを特徴とする、請求項１に記載のコンテンツ提供装置。
【請求項３】
ユーザーコンテンツがアップロードされるアップロード部；を含み、
前記アップロード部は、第３設定基準を満たすユーザーコンテンツのみをアップロードし、前記第３設定基準を満たすユーザーコンテンツの基準フォーマットを前記ユーザーコンテンツの作成者に提供することを特徴とする、請求項１に記載のコンテンツ提供装置。
【請求項４】
ユーザーコンテンツがアップロードされるアップロード部；を含み、
前記アップロード部は、第３設定基準を満たすユーザーコンテンツのみをアップロードし、
前記アップロード部は、アップロードが完了したユーザーコンテンツのヒット数を分析し、設定値を満足するヒット数を持つユーザーコンテンツをアイコンスターテーマに移し、
前記アイコン部は、前記アイコンスターテーマに移されたユーザーコンテンツをアイコン化させて分類することを特徴とする、請求項１に記載のコンテンツ提供装置。
【請求項５】
前記アイコンを販売するショッピング部；を含み、
前記ショッピング部は、前記アイコンのうち販売可能な製品を抽出及び販売し、前記製品の販売情報を前記製品の供給者に提供することを特徴とする、請求項１に記載のコンテンツ提供装置。
【請求項６】
前記アイコンに適用されたタグを分析して前記アイコンの選好度を分析する分析部；をさらに含み、
前記テーマ部は、前記選好度に基づいて前記アイコンを再分類することを特徴とする、請求項１に記載のコンテンツ提供装置。
【請求項７】
前記アイコンの時間別ヒット数を分析する分析部；を含み、
前記テーマ部は、前記分析部の分析結果を用いて、現在時刻で相対的に高いヒット数を持つ人気アイコンが含まれているテーマを生成することを特徴とする、請求項１に記載のコンテンツ提供装置。
【請求項８】
前記アイコン部は場所に分類された特定のアイコンに、前記特定のアイコンが表示される地図を含ませ、
前記地図上に表示される前記特定のアイコンは動画像で表示されることを特徴とする、請求項１に記載のコンテンツ提供装置。
【請求項９】
前記アイコン部で分類された前記アイコンの位置、及び前記アイコンの確認が可能な携帯端末の位置を把握し、前記携帯端末と前記アイコンとの距離が設定距離以内であれば、前記携帯端末へ前記アイコンの情報または道案内情報を伝送する案内部；を含むことを特徴とする、請求項１に記載のコンテンツ提供装置。
【請求項１０】
前記アイコン部または前記テーマ部で分類された分類アイコンを管理する管理部；を含み、
前記管理部は、前記分類アイコンのファンページを生成し、前記分類アイコンのファンとして登録したユーザーの現況情報を前記ファンページに表示することを特徴とする、請求項１に記載のコンテンツ提供装置。
【請求項１１】
前記アイコン部または前記テーマ部で分類された分類アイコンを管理する管理部；を含み、
前記管理部は、第４設定基準に基づいて、前記分類アイコンのファンとして登録したユーザーの等級を分類し、設定等級以上に分類されたランクユーザーに前記分類アイコンの編集権限を与えることを特徴とする、請求項１に記載のコンテンツ提供装置。
【請求項１２】
前記アイコン部または前記テーマ部で分類された分類アイコンを管理する管理部；を含み、
前記管理部は、ランクユーザーにより前記分類アイコンが編集されると、編集内容に対する投票メニューを前記分類アイコンに表示して、
前記管理部は、前記投票メニューを介して行われた前記編集内容に対する賛成の数が設定値を満足した場合、前記分類アイコンに前記編集内容を反映することを特徴とする、請求項１に記載のコンテンツ提供装置。
【請求項１３】
前記アイコン部または前記のテーマ部で分類された分類アイコンを管理する管理部；を含み、
前記管理部は、前記分類アイコンにファンディング生成メニューを表示し、前記分類アイコンのファンとして登録したユーザーが前記ファンディング生成メニューを選択すると、ファンディング生成ページを生成し、
前記管理部は、前記分類アイコンのファンとして登録したユーザーにより前記ファンディング生成ページが登録され、登録された前記ファンディング生成ページに該当するクラウドファンディングページに対する審査結果が受信されると、前記審査結果に応じて前記分類アイコンに前記クラウドファンディングページのリンクメニューを表示することを特徴とする、請求項１に記載のコンテンツ提供装置。
【請求項１４】
前記アイコン部または前記テーマ部で分類された分類アイコンを管理する管理部；を含み、
前記管理部は、前記分類アイコンにリンクメニューを表示し、前記リンクメニューが選択されると、前記リンクメニューにリンクされたクラウドファンディングページを表示し、
前記管理部は、前記クラウドファンディングページで使用される貨幣に該当するｉ−コイン（ｉ−ｃｏｉｎ）を生成し、
前記クラウドファンディングページには目標金額と目標期間が表示され、
前記管理部は、前記クラウドファンディングページを利用するユーザーによって入力された前記ｉ−コインを累算し、前記目標期間中に累算された前記ｉ−コインの総額数が前記目標金額を満足すると、前記目標金額を前記分類アイコンに提供することを特徴とする、請求項１に記載のコンテンツ提供装置。
【請求項１５】
前記アイコン部または前記テーマ部で分類された分類アイコンを管理する管理部；を含み、
前記管理部は、前記分類アイコンのファンとして登録したユーザーが前記分類アイコンに提供することができ、現金化が可能なｉ−コイン（ｉ−ｃｏｉｎ）を生成し、
前記管理部は、前記ユーザーがお金を支払った分だけ前記ユーザーに前記ｉ−コインを提供するか、或いは前記ユーザーが分類アイコンで活動した量に応じて前記ユーザーに前記ｉ−コインを提供するか、或いは前記ユーザーがログインした回数または前記分類アイコンを訪れた回数に応じて前記ユーザーに前記ｉ−コインを提供することを特徴とする、請求項１に記載のコンテンツ提供装置。
【請求項１６】
前記アイコン部または前記テーマ部で分類された分類アイコンを管理する管理部；を含み、
前記管理部は、前記分類アイコンのコメントを時間の逆順で表示し、
前記管理部は、前記コメントに設けられたアイコンナウ（ｉｃｏｎ  ｎｏｗ）メニューが選択されると、イメージ及びテキストの少なくとも一つを入力することが可能な入力ウィンドウを表示し、前記入力ウィンドウの下に既に入力された最新コメントをリアルタイムで表示することを特徴とする、請求項１に記載のコンテンツ提供装置。
【発明の詳細な説明】
【技術分野】
【０００１】
本発明は、動画像などの各種コンテンツを提供する装置に関する。
【背景技術】
【０００２】
動画像などの各種コンテンツが氾濫しているネットワークを介して確認することが可能なコンテンツをユーザーのニーズに応えるように分類して提供するシステムが求められる。
【０００３】
特許文献１には、コンテンツを要求するために、特定の時間単位に基づいたコンテンツ要求であることを示す識別子を含むコンテンツパケット技術が開示されているが、ユーザーのニーズに応えるようにコンテンツを分類する内容は開示されていない。
【先行技術文献】
【特許文献】
【０００４】
【特許文献１】韓国公開特許第２０１４−０００９９３１号公報
【発明の概要】
【発明が解決しようとする課題】
【０００５】
本発明の目的は、各種コンテンツを適切に分類してユーザーに提供することが可能なコンテンツ提供装置を提供することにある。
【０００６】
本発明が解決しようとする技術的課題は上述した技術的課題に制限されず、上述していない別の技術的課題は以降の記載から本発明の属する技術分野における通常の知識を有する者に明確に理解できるであろう。
【課題を解決するための手段】
【０００７】
本発明のコンテンツ提供装置は、各種コンテンツを第１設定基準に基づいてアイコン化させて分類するアイコン部と、前記アイコン部で生成されたアイコンを第２設定基準に基づいて再分類するテーマ部とを含むことができる。
【０００８】
一実施例として、前記アイコン部は、複数の前記アイコンの位置が表示される地図を生成することができ、前記地図から特定のアイコンが選択されると、前記特定のアイコンの動画像が前記地図上に表示され、前記動画像が前記特定のアイコンを示すことを表示するために、前記動画像の周縁部の少なくとも一部は、前記地図上で前記特定のアイコンの位置に向かって延長できる。
【０００９】
一実施例として、本発明のコンテンツ提供装置は、前記アイコンに該当する店舗に設置されるビーコンを含み、前記ビーコンは、前記アイコンの確認が可能な携帯端末が設定距離以内に接近すると、前記携帯端末に前記店舗の情報、前記店舗で発行したクーポン、および前記店舗までの経路の少なくとも一つを提供することができる。
【発明の効果】
【００１０】
本発明のコンテンツ提供装置は、アイコン部とテーマ部を含むことにより、ネットワークを介して確認することが可能な各種コンテンツをユーザーのニーズに応えるように分類することができる。
【図面の簡単な説明】
【００１１】
【図１】本発明のコンテンツ提供装置を示すブロック図である。
【図２】アイコン部の動作を示す概略図である。
【図３】テーマ部によって分類されたテーマを示す概略図である。
【図４】アップロード部の動作を示す概略図である。
【図５】ショッピング部の動作を示す概略図である。
【図６】分析部の動作を示す概略図である。
【図７】アイコン部の他の動作を示す概略図である。
【図８】案内部の動作を示す概略図である。
【図９】管理部によって管理される分類アイコンを示す概略図である。
【図１０】ファンページを示す概略図である。
【図１１】等級順位表を示す概略図である。
【図１２】クラウドファンディングページを示す概略図である。
【図１３】提供メニューを示す概略図である。
【図１４】ファンディング生成ページを示す概略図である。
【図１５】分類アイコンの詳細情報を示す概略図である。
【図１６】編集メニューを示す概略図である。
【図１７】編集メニューを用いて編集された分類アイコンを示す概略図である。
【図１８】コメントメニューを示す概略図である。
【図１９】アイコンナウ（Ｉｃｏｎ  ｎｏｗ）入力ウィンドウを示す概略図である。
【発明を実施するための形態】
【００１２】
図１は本発明のコンテンツ提供装置を示すブロック図である。
【００１３】
図１に示したコンテンツ提供装置はアイコン部１１０及びテーマ部１２０を含むことができる。
【００１４】
アイコン部１１０は、ネットワークを介してユーザーの端末へ提供される各種コンテンツを第１設定基準に基づいてアイコン化させて分類することができる。このため、アイコン部１１０には各種コンテンツが保存できる。このとき、該当コンテンツは、コンテンツ提供装置の管理者または一般ユーザーによってアップロードされた動画像、イメージ、テキスト文書、音声ドキュメントなどを含むことができる。
【００１５】
コンテンツ提供装置の管理者または一般ユーザーによってアップロードされたコンテンツの数は非常に膨大である。よって、ユーザーがこのように膨大な数のコンテンツから自分の所望するコンテンツを見つけ難いのは自明である。
【００１６】
ユーザーの要求するコンテンツを容易に見つけることができるように、アイコン部１１０には検索メニューが設けられてもよい。一例として、検索メニューに「歌手」と入力すると、アイコン部１１０は、アップロードされたコンテンツの中から歌手関連コンテンツのみを選別して該当ユーザー（ユーザーが使用する端末）に提供することができる。
【００１７】
これとは別に、アイコン部１１０は、検索メニューを利用していない状態で、ユーザーフレンドリーでアイコンを分類してユーザーに提供することができる。
【００１８】
一例として、アイコン部１１０は、コンテンツに含まれた単語を分析し、分析結果と第１設定基準に基づいて該当コンテンツを人物、場所及びブランドの少なくとも一つに分類することができる。このとき、アイコン部１１０によって人物、場所及びブランドなどに分類された各コンテンツが「アイコン」になれる。
【００１９】
アイコンは第１設定基準に基づいて適切に分類できる。一例として、第１設定基準は、特定の単語の登場頻度が設定回数を満足するか否かに関連できる。
【００２０】
たとえば、アイコン部１１０は、特定のコンテンツの分析結果、特定の人物の名前が１０回登場すると、該当コンテンツに前記特定の人物の名前を題目として付けてアイコン化し、該当アイコンを人物に分類することができる。このとき、第１設定基準は、特定の人物の名前が１０回以上登場すると該当コンテンツを人物に分類することでありうる。
【００２１】
もし、第１設定基準が、特定の場所の名前が１０回以上登場すると該当コンテンツを場所に分類することであれば、アイコン部１１０は、第１設定基準を満たすコンテンツを場所アイコンに分類することができる。
【００２２】
もし、一つのコンテンツに特定の人物の名前と特定の場所の名前が１０回以上登場する場合、アイコン部１１０は、該当コンテンツを人物と場所にそれぞれ分類することができる。このとき、特定の場所は、地図上の特定の位置の名前または住所を表わすか、或いは特定の店舗の名前を表わすことができる。固有名詞が人物を意味するのか場所を意味するのかを把握するために、アイコン部は固有名詞の前後に登場する普通名詞または代名詞を分析することができる。一例として、「ここはｘｘｘｘです」という文章の場合、代名詞に該当する「ここ」を用いて固有名詞「ｘｘｘｘ」を場所に分類することができる。
【００２３】
もし、第１設定基準が、特定のブランドの名前が１０回以上登場すると該当コンテンツをブランドに分類することであれば、アイコン部１１０は、第１設定基準を満たすコンテンツをブランドアイコンに分類することができる。ブランドは特定の製品の名前でありうる。
【００２４】
図２はアイコン部１１０の動作を示す概略図である。
【００２５】
アイコン部１１０は、コンテンツに含まれている単語を分析し、分析の結果、人物の名前に該当する「Ａ」が１０回以上登場すると、該当コンテンツを人物アイコンに分類することができる。もし店舗の名前に該当する「Ｂ」が１０回以上登場すると、該当コンテンツを場所アイコンに分類することができる。そして、製品の名前に該当する「Ｃ」が１０回以上登場すると、該当コンテンツをブランドアイコンに分類することができる。もし、「Ａ」、「Ｂ」、「Ｃ」がそれぞれ１０回以上ずつ登場する場合、アイコン部１１０は、該当コンテンツを人物アイコン、場所アイコン、ブランドアイコンそれぞれに分類することができる。すなわち、アイコン部１１０は、場合に応じて一つのコンテンツを複数のアイコンに分類することができる。この場合、一般ユーザーは、Ｗｅｂブラウザなどを用いてコンテンツ提供装置に接続した後、人物項目、場所項目、ブランド項目それぞれから該当コンテンツを見つけることができる。
【００２６】
前記アイコン部１１０は、コンテンツに含まれている単語を分析し、第１設定基準に基づいて該当コンテンツを特定のアイコンに分類することができる。このようにアイコン部１１０で分類されたコンテンツはアイコンと命名できる。
【００２７】
アイコンは様々に細分化できる。図１を参照すると、アイコン部１１０はコンテンツを大きく人物（Ｐｅｏｐｌｅ）、場所（Ｐｌａｃｅ）、ブランド（Ｂｒａｎｄ）に区分することができる。細部的に、人物は、ファッション（Ｆａｓｈｉｏｎ）に関連する人物、エンターテインメント（Ｅｎｔｅｒｔａｉｎｍｅｎｔ）に関連する人物、美容室などのビューティー（Ｂｅａｕｔｙ）に関連する人物、音楽（Ｍｕｓｉｃ）に関連する人物、アート＋デザイン（Ａｒｔ＋Ｄｅｓｉｇｎ）に関連する人物、生活＋文化（Ｌｉｆｅ＋Ｃｕｌｔｕｒｅ）に関連する人物、運動（Ｓｐｏｒｔ）に関連する人物に区分できる。場所は距離（Ｓｔｒｅｅｔ）、ランドマーク（Ｌａｎｄｍａｒｋ）に細分化できる。ブランドはファッション（Ｆａｓｈｉｏｎ）、ビューティー（Ｂｅａｕｔｙ）、飲食（Ｆｏｏｄ＆Ｄｒｉｎｋ）に区分できる。
【００２８】
上述したアイコンは、ユーザーの所望するコンテンツが存在する場合、ユーザーの検索便宜を図ることができる。一方、単にどんなコンテンツがあるか見まわすユーザーの立場では、興味のあるコンテンツを見つけるまで自分自身にあまり意味のないコンテンツをいちいち確認しなければならない不便さが生じる。よって、特別なアイコンをターゲットにしないユーザーの関心を誘発するための方案が設けられてもよい。
【００２９】
一例として、アイコン部１１０で分類されたアイコン（ｉｃｏｎ）は、テーマ部１２０によって第２設定基準に基づいて再分類できる。例えば、テーマ部１２０は、プログラム（Ｐｒｏｇｒａｍ）テーマ、スペシャル（Ｓｐｅｃｉａｌ）テーマ、コワーク（Ｃｏ−ｗｏｒｋ）テーマ、及びルーキー（Ｒｏｏｋｉｅ）テーマの少なくとも一つにアイコンを再分類することができる。
【００３０】
図３はテーマ部１２０によって分類されたテーマを示す概略図である。
【００３１】
プログラム（ｐｒｏｇｒａｍ）テーマは、アイコンと無関係な付加コンテンツに、選択されたアイコンを組み合わせたものでありうる。一例として、一般ユーザーの人物写真のアップロードを誘導するイベントコンテンツが存在する場合、テーマ部１２０は、付加コンテンツに該当するイベントコンテンツに、アイコン部１１０で分類されたアイコンの一部を追加することができる。このとき、イベントコンテンツに追加されるアイコンの選別基準は、該当アイコンに少なくとも人物写真が含まれていることでありうる。そして、テーマ部１２０は、アイコンに含まれている人物写真をイベントコンテンツに追加することにより、ユーザーがどのように写真を撮ってアップロードするのか分かる。また、アイコン提供者の立場ではイベントコンテンツを介して自分のアイコンを広告する効果を期待することができる。
【００３２】
また、テーマ部１２０は、イベントコンテンツに含まれているアイコンが選択されると、該当アイコンをユーザーに提供することができる。このような様子は、ユーザーがアイコン部１１０で提供するメニューから特定のアイコンを直接選択した状態と同様でありうる。但し、ユーザーがイベントコンテンツに含まれている人物写真を見て該当アイコンを選択したことなので、テーマ部は該当アイコンに含まれている人物写真を該当アイコンのメイン画面に提供することができる。これは、アイコン部１１０を介して該当アイコンを選択した場合に該当アイコンの紹介がメイン画面に提供されるのとは差別化できる。
【００３３】
これによれば、ユーザーが気軽にアイコンを見まわすことが可能な環境が提供できる。アップロードする写真の様式を確認する目的で特定のアイコンに進入したユーザーは、自分の端末機に表示される画面から人物写真を確認した後、さらにイベントコンテンツに戻ることができる。もちろん、該当人物写真を提供したアイコンに興味があったら、該当アイコンに含まれている他の内容をさらに確認することができる。
【００３４】
上述したプログラムテーマは、アイコンの提供者の立場では、自分のアイコンを広報することが可能な舞台になれる。ところが、上述したように、テーマ部１２０は付加コンテンツに追加されるべきアイコンをランダムに選択する代わりに、付加コンテンツに役立つアイコンを追加することができる。上記の例では、人物写真が含まれているとの条件が、プログラムテーマにアイコンが追加できる第２設定基準になれる。
【００３５】
したがって、アイコンの提供者は、自発的に自分のアイコンに付加コンテンツに役立つ内容を持続的に追加するであろう。これによれば、アイコンの内容が充実になるのは自明である。このようにアイコンの充実度が改善されるように、テーマ部１２０は、管理者によって付加コンテンツの日程が決定されると、該当付加コンテンツがプログラムテーマにアップロードされる前に、各アイコンの提供者に付加コンテンツの内容を送信することができる。このため、各アイコンにはアイコン提供者の連絡先などが含まれ得る。
【００３６】
スペシャル（ｓｐｅｃｉａｌ）テーマは、特定のアイコンに関連するコンテンツをアイコン部１１０及びインターネット上で検索及び整理統合し、選択されたアイコンに付加したものでありうる。
【００３７】
アイコン部１１０で分類されたアイコンは、その数が多いので、好むアイコンがないユーザーに興味を誘発することは難しい。ユーザーにアイコンを紹介するために、テーマ部１２０は、複数のアイコンの中から特定のアイコンを選別してスペシャルテーマの形で提供することができる。
【００３８】
特別さを意味する「スペシャル」という名前が命名されたので、ユーザーは、スペシャルテーマを介してアイコン部１１０にアップロードされたアイコンに対して、平均的なアイコンとは異なる特別さを期待するであろう。これを満足させるために、スペシャルテーマにアップロードされるアイコンは、他のアイコンに比べて、自体に含まれているコンテンツが多いことが第２設定基準でありうる。一例として、テーマ部１２０は、各アイコンのコンテンツ量を比較分析し、各アイコンに順位を付与した後、高い順位のアイコンのみを選別してスペシャルテーマの対象として設定することができる。
【００３９】
さらに、スペシャルテーマに含まれている内容が、アイコン部１１０にアップロードされたコンテンツに制限されるならば、ユーザーは、スペシャルテーマになったアイコンから特別さを感じることは難しい。スペシャルテーマにあるアイコンが本当に特別であるという感じを与えるために、テーマ部１２０はスペシャルテーマとして選択されたアイコンの内容を豊かに拡張するのが良い。一例として、テーマ部１２０は、アイコン部１１０だけでなく、インターネット上で該当アイコンに関連する様々な内容を検索してスペシャルテーマに含ませることができる。この場合、第２設定基準は、該当アイコンのコンテンツ量、及びインターネットから検索された関連内容の量であってもよい。このような第２設定基準によれば、各アイコンの提供者は、スペシャルテーマに自分のアイコンをアップロードためにアイコン自体の内容を豊かに作成し、他の外部媒体にも関連内容をアップロードするであろう。結果的に、第２設定基準によれば、ネットワークを介して流通するコンテンツの質及び量が改善できる。
【００４０】
コワーク（Ｃｏ−ｗｏｒｋ）テーマは、複数選択されたアイコンが統合されたものでありうる。
【００４１】
コワークは、互いに異なる複数のアイコンが協力、合奏する内容を含むことができる。ところが、互いに異なる複数の人物が一緒に協力してバスケットボールを楽しむことを撮影したコンテンツを作成した場合、該当コンテンツはコワークテーマとは関係がない。該当コンテンツは、アイコン部１１０によって製品アイコンとしてバスケットボールに分類されるか、或いは各バスケットボール人員の名前に分類され得る。
【００４２】
コワークテーマは、複数のアイコンが互いに出会って協力するのではなく、互いに各自自分のアイコンを持っており、このときの互いに異なるアイコンが互いに協力するものであり得る。
【００４３】
また、テーマ部１２０は、題目「ｚ」の歌を歌ったアイコンを複数個見つけて一つの画面に同時に表示することができる。これによれば、ｚを歌った歌手１と歌手２の歌が一緒に出力され、これにより歌手１と歌手２が互いに合唱するような環境を造成することができる。
【００４４】
テーマ部１２０で分類される各種テーマは、アイコン部１１０で分類されたアイコンに比べて内容が豊かなので、外部ユーザーのヒット数が相対的に高いのは自明である。コワークテーマも同様である。したがって、アイコンの作成者は、コワークテーマに自分のアイコンがアップロードされるように多くの曲を自分のアイコンに含ませるであろう。
【００４５】
ルーキー（ｒｏｏｋｉｅ）テーマは、最近分類された新しいアイコンを提供することができる。ルーキーテーマは、アイコンに含まれているコンテンツ量が設定値を満足する範囲内で、時間順で最近アップロードされたアイコンを含むことができる。このようなルーキーテーマはアイコンの種類を問わずにアイコンをアップロードするので、非主流文化に関連するアイコンもアップロードされることがある。
【００４６】
但し、完成度に劣るアイコンがルーキーテーマとしてアップロードできるので、完成度の改善のための方案が設けられるのが良い。一実施例として、テーマ部１２０は、ルーキーテーマにアップロードされたルーキーテーマのヒット数を分析し、ヒット数が設定値未満であるアイコンを設定期間の経過後に他のアイコンで代替することができる。一方、ヒット数が設定値以上であるアイコンについては、設定期間の経過後も、ルーキーテーマにアップロードされた状態を維持することができる。このとき、各アイコンのヒット数が第２設定基準になってもよい。このような第２設定基準によれば、アイコンをアップロードする提供者はヒット数を増やすことができるように完成度の高いアイコンを作成するであろう。
【００４７】
特定のテーマに含まれているアイコンは、他のテーマの第２設定基準を満たす場合、他のテーマにも含まれ得る。
【００４８】
一方、アイコン部１１０で分類されるコンテンツは、コンテンツ提供装置の管理者或いは一般ユーザーによって生成できる。
【００４９】
図４はアップロード部の動作を示す概略図である。
【００５０】
管理者によって生成されたコンテンツは、特殊目的をもって政策的に生成されるものでるから、任意のフォーマットで作成されても構わない。なぜなら、管理者が該当アイコンの目的を明確に認知している状態なので、アイコン部１１０の第１設定基準と異なっても、管理者の基準に基づいてアイコンに分類できる。
【００５１】
しかし、一般ユーザーにもこのような自由度が与えられたら、アイコン部１１０の分類体系が台無しになることは自明である。よって、一般ユーザーが作成したユーザーコンテンツは、別途設けられたアップロード部１３０を介してアップロードされるのが良い。アップロード部１３０は、第３設定基準を満たすユーザーコンテンツのみをアップロードすることができる。アップロード部１３０を介してアップロードされたコンテンツはアイコン部１１０に入力できる。
【００５２】
一例として、第３設定基準を次のとおり構成することができる。
【００５３】
「動画像作成の際に、撮影開始時点から３分までは人物の名前、場所の名前、ブランド名の紹介、３分から５分までは友人、サポートしてくれた方など周辺人物などの紹介、５分後からはコンテンツの内容説明が存在すべきである。」
上述した第３設定基準はユーザーコンテンツの作成者が知っておくべき事項なので、アップロード部１３０は、第３設定基準を満たすユーザーコンテンツの基準フォーマットをユーザーコンテンツの作成者に提供することができる。基準フォーマットは、前記第３設定基準が説明されたテキスト文書や、第３設定基準に合わせて作成された動画像などを含むことができる。
【００５４】
或いは、基準フォーマットは動画像編集モジュールを含むことができる。このときの編集モジュールの一部のメニューには時間が表示できる。また、編集モジュールは、第３設定条件に該当する時刻になると、これを表示することができる。併せて、現在時刻が紹介区間であるかコンテンツ内容追加区間であるかを表示することができる。
【００５５】
前記第３設定基準には、ユーザーコンテンツの主人公の名前、主人公に関連した対象の名前が含まれ得る。このとき、アイコン部１１０は、主人公の名前または対象の名前を用いてユーザーコンテンツをアイコン化させて分類することができる。
【００５６】
ユーザーコンテンツの数があまり多い場合は、すべてのユーザーコンテンツをアイコン化させることが不合理であることもある。一例として、量及び質の面で劣るユーザーコンテンツをアイコン化させた場合、アイコンを確認する一般ユーザーは不快さを感じるおそれがあり、これは直ぐにアイコン全体に対する信頼度を低下させることができる。
【００５７】
アイコンの信頼度維持のためには、少なくとも、アイコンに分類されたコンテンツは基本資格があると一般ユーザーに感じさせる必要がある。一例として、アップロード部１３０は、アップロードの完了したユーザーコンテンツをアイコンに直ちに伝達せず、別途設けられたビー・ザ・アイコン（ｂｅ  ｔｈｅ  ｉｃｏｎ）テーマに表示することができる。ユーザーコンテンツのヒット数を分析し、設定ヒット数を満足するユーザーコンテンツをアイコンスター（ｉｃｏｎ  ｓｔａｒ）テーマに移すことができる。アイコン部１１０は、ビー・ザ・アイコンテーマのユーザーコンテンツをアイコン化させる代わりに、アイコンスターテーマに移されたユーザーコンテンツをアイコン化させて分類することができる。これによれば、アイコン部で分類されるアイコンは、管理者が作成したものや、ユーザーコンテンツのうちヒット数が設定値を満足するものに制限することができる。このときの設定ヒット数は、アップロードされるコンテンツの数に応じて可変する。
【００５８】
一例として、設定ヒット数は、アップロードされるコンテンツの数に比例することができる。アイコン部１１０に流入できるユーザーコンテンツの数が制限されるため、多くのユーザーコンテンツがアップロードされる場合、ヒット数の設定値も高くなって選別基準が厳しく適用できる。逆に、少ない数のユーザーコンテンツがアップロードされる場合、ヒット数の設定値は低くなるのが良い。この場合、アイコンの品質低下が一部予想されるが、アイコンの数があまり少ない場合よりは有利である。アイコンの品質低下の補完策として、後でユーザーコンテンツの数が増加する場合、現在のアイコンもヒット数の面で他のコンテンツと比較して低ければビー・ザ・アイコンテーマに退出できる。
【００５９】
一方、非専門家に該当するユーザーが作成したユーザーコンテンツの質がユーザー本人の努力だけで改善されるには限界がある。さらに、ユーザーコンテンツを作成するユーザーの立場では、コンテンツの内容またはコンテンツ作成についての諮問などの助けを希望することができる。したがって、ビー・ザ・アイコンにアップロードされたユーザーコンテンツには、特別なコメントメニューが設けられてもよい。各種コンテンツのメニューには、閲覧者が自分の意見を記載することが可能なコメント欄が設けられてもよい。ところが、一般訪問者のコメントを介してユーザーコンテンツの作成者が助けを受けるには現実的に難しい。このような問題を解消するために、ビー・ザ・アイコンには専門家に該当するメンターだけがコメントを入力することが可能なメンターコメントメニューが別途設けられてもよい。メンターコメントメニューは、コンテンツ管理装置の管理者によって選定された専門家または管理者にのみアクセス権が与えられたメニューであり得る。したがって、メンターコメントメニューにアップロードされた内容は専門家のアドバイスに相当することができる。メンターコメントメニューによれば、ユーザーコンテンツの作成者だけでなく、該当ユーザーコンテンツを閲覧した様々なユーザーも、該当コンテンツに関連する専門家のアドバイスを見ることができる。
【００６０】
アップロード部は、ヒット数を用いてユーザーコンテンツを管理する一方、ユーザーコンテンツに含まれている成人向けコンテンツを区分することができる。一例として、アップロード部１３０は、ユーザーコンテンツに含まれている単語を分析し、成人向けコンテンツに分類される単語が含まれている場合或いはユーザーコンテンツのイメージに含まれている色相表示比率が設定値を満す場合、該当ユーザーコンテンツを成人向けコンテンツに分類することができる。そして、ビー・ザ・アイコンテーマに該当ユーザーコンテンツをアップロードすることを保留した状態で、管理者が確認可能な端末へ、成人向けコンテンツに疑われるユーザーコンテンツを伝送することができる。
【００６１】
一例として、全画面表示における肌色表示比率が高い場合、身体が露出しているものと推定されるので、成人向けコンテンツである可能性がある。然りながら、無条件に該当ユーザーコンテンツを成人向けコンテンツに確定すれば、水着やホットパンツなどを着用しているイメージも成人向けコンテンツに分類される可能性がある。このような点を考慮して、本発明によれば、成人向けコンテンツに疑われる特定のユーザーコンテンツを自動的に把握し、さらに管理者が該当ユーザーコンテンツを手動で確認することができるようにする方案が提供される。
【００６２】
上述したアイコン部１１０によれば、コンテンツは人物アイコン、場所アイコン、ブランドアイコンに分類できる。そして、テーマ部１２０によれば、各アイコンはプログラムテーマ、スペシャルテーマ、コワークテーマ、ルーキーテーマに分類できる。アップロード部１３０によれば、ユーザーコンテンツはビー・ザ・アイコンテーマ（Ｂｅ  ｔｈｅ  ＩＣＯＮ）、アイコンスター（ＩＣＯＮ  Ｓｔａｒ）テーマに分類できる。
【００６３】
このように分類されたアイコンの中には、ユーザーが購入可能な製品が存在する可能性がる。一例として、アイコン部１１０で分類されるブランドアイコンは、販売可能な製品を主なコンテンツ内容にすることができる。
【００６４】
このように販売可能なアイコンは、一般ユーザーが確認した後、該当アイコンの提供者（店舗または購買サイト）から購入することができる。但し、一般ユーザーが該当アイコンの提供者に直接訪ねて行くか、或いは該当提供者のＷｅｂサイトを個別に訪問する必要がある。購買者の便宜性を改善するために、本発明のコンテンツ提供装置はショッピング部１４０を含んでもよい。
【００６５】
図５はショッピング部１４０の動作を示す概略図である。
【００６６】
ショッピング部１４０はアイコンを販売することができる。具体的には、ショッピング部１４０は、ディスプレイ画面に表示される、特定のアイコンを購入することが可能な購買メニューを提供することができる。ショッピング部１４０は、アイコンの中から販売可能な製品を抽出して販売することができる。
【００６７】
テーマ部１２０によって分類されるテーマは、アイコン部１１０とは異なり、付加コンテンツに対する管理者の自由度が存在する。したがって、付加コンテンツに追加されるアイコンも様々に選択できる。これによれば、付加コンテンツに追加されるアイコンは時間に応じて異なるもので代替できる。このとき、アイコンの代替が任意に発生しないように分析部１５０が利用されてもよい。
【００６８】
図６は分析部１５０の動作を示す概略図である。
【００６９】
分析部１５０はアイコンに適用されたタグ（ｔａｇ）を分析してアイコンの選好度を分析することができる。アイコンには、アイコン部１１０、テーマ部１２０、分析部１５０等により特定の内容が記入されるタグが設けられてもよい。
【００７０】
アイコンのタグには選好度が記入できる。テーマ部１２０は分析部１５０の分析結果に基づいて選好度によってアイコンを再分類することができる。
【００７１】
一例として、分析部１５０は、タグを用いて選好度に該当する各アイコンの時間別ヒット数ｘを分析することができる。このとき、テーマ部１２０は、分析部１５０の分析結果を用いて、現在時刻で相対的に高いヒット数を持つ人気アイコンが含まれているテーマを生成することができる。
【００７２】
特定のアイコンのヒット数が１日２４時間一定の比率で分布することは難しい。通常、特定のアイコンのヒット数は時間ごとに異なる様相を示す。
【００７３】
たとえば、子供教育アイコン（１）の場合、子供たちがインターネットを利用することが可能な夕方の時間帯にはヒット数が多いのに対し、学校にある昼間の時間または眠る遅い時間帯にはヒット数が低い可能性がある。一方、美女歌手が登場するアイコン（２）は深夜時間に相対的にヒット数が高い可能性がある。このように時間ごとに変化するヒット数は各アイコンのタグに記載できる。そして、分析部１５０はタグに記録された時間別ヒット数を用いて時間ごとにヒット数の高いアイコンを把握することができる。
【００７４】
テーマ部１２０は、分析部１５０の分析結果を用いて、例えばプログラムテーマを構成する付加コンテンツに時間ごとに異なるアイコンを追加することができる。一例として、付加コンテンツに、夕方の時間帯には子供教育アイコン（１）に含まれている人物写真を入れ、深夜の時間帯には美女歌手のアイコン（２）に含まれている歌手の人物写真を入れることができる。
【００７５】
図７はアイコン部１１０の他の動作を示す概略図である。
【００７６】
アイコン部１１０は特定のアイコンに自動的に一部の内容を追加することができる。一実施例において、アイコン部１１０は、場所に分類された特定のアイコンに該当アイコンが表示される地図（ｍ）を自動的に含ませることができる。このように提供される地図（ｍ）上に特定のアイコンの位置が表示されるので、一般ユーザーは該当場所を容易に把握することができる。
【００７７】
地図（ｍ）上には特定のアイコンだけでなく、周辺の他のアイコンも一緒に表示できる。図７において、地図（ｍ）上に丸印で表示された位置がアイコンを示すことができる。この場合、マップ（ｍ）上に特定のアイコンが単にテキスト文書や写真などのみで表示されるならば、特定のアイコンと他のアイコンとの区別が曖昧になるおそれがある。これを防止するために、地図（ｍ）に表示される特定のアイコンは、該当アイコンに含まれている動画像で表示できる。
【００７８】
具体的には、アイコン部１１０は、複数のアイコンの位置が表示される地図（ｍ）を生成することができる。このときの地図（ｍ）は、表示される各アイコンに追加されるか、或いは別途のメニューを用いて一般ユーザーに提供され得る。アイコン部１１０は、地図（ｍ）から特定のアイコン（ｉｃｏｎ）が選択されると、特定のアイコンの動画像を地図（ｍ）上に表示することができる。地図（ｍ）上に特定のアイコンの動画像が表示されるので、ユーザーは現在選択された特定のアイコンを他のアイコンと容易に区分することができる。なぜなら、選択されていない他のアイコンは静止イメージまたは丸印などの案内表示のみで地図（ｍ）上に表示されるためである。特定のアイコンが地図（ｍ）の外部に表示される代わりに地図（ｍ）上に表示されるので、ユーザーは該当アイコンの位置を直観的に把握することができる。
【００７９】
併せて、アイコン部１１０は、該当動画像が特定のアイコンを示すことを表示するために、動画像の周縁部の少なくとも一部を地図（ｍ）上で特定のアイコンの位置に向かって延長させることができる。言い換えれば、アイコン部１１０は、特定のアイコンの位置を示す引出線（ａ）を生成することができる。
【００８０】
一方、場所またはブランドアイコンを確認したユーザーが該当場所を楽に探して行ける方案として、本発明のコンテンツ提供装置は案内部１６０を含むことができる。
【００８１】
図８は案内部１６０の動作を示す概略図である。
【００８２】
案内部１６０は、アイコン部１１０で分類されたアイコンの位置、及びアイコンの確認が可能な携帯端末１０の位置を把握することができる。案内部１６０は、携帯端末１０とアイコン間の距離が設定距離以内であれば、携帯端末１０にアイコンの情報または道案内情報を伝送することができる。
【００８３】
このため、携帯端末１０には衛星航法装置に対応するＧＰＳが搭載できる。案内部１６０は、アイコン部１１０に接続することが可能なアプリケーションがインストールされたスマートフォンなどの携帯端末１０の位置をリアルタイムで監視し、前記携帯端末１０の位置から選択された特定のアイコンまでの最短経路などを携帯端末１０へ伝送することができる。携帯端末に表示された最短経路を用いて、ユーザーは容易に特定のアイコンを探すことができる。一方、携帯端末１０の位置を持続的に監視しなければならない案内部１６０の負荷が増加するおそれがある。案内部１６０の負荷軽減のためにビーコン１７０（ｂｅａｃｏｎ）が利用できる。
【００８４】
ビーコン１７０はアイコンに該当する店舗（ｃ）に設置できる。ビーコン１７０は、携帯端末１０が設定距離以内に接近すると、携帯端末１０に店舗（ｃ）の情報、店舗（ｃ）で発行したクーポン、店舗（ｃ）までの経路のうち少なくとも一つを提供することができる。ビーコン１７０が設けられた場合、ビーコン１７０のカバレッジ範囲内でアイコンの案内はビーコン１７０に一任できる。そして、ビーコン１７０のカバレッジ範囲を越えた携帯端末１０に対してのみ案内部１６０が監視し、道案内情報を提供することができる。
【００８５】
上述したアイコンやテーマなどは、コンテンツ提供装置が設けられたサーバーに接続したユーザーに図２〜図７のような画面として提供できる。また、各アイコンの選択またはテーマの選択に応じて、選択アイコンまたはテーマアイコンのみが表示される画面に進入できる。
【００８６】
本発明のコンテンツ提供装置は、アイコン部１１０またはテーマ部１２０で分類されたアイコンに該当する分類アイコンを管理する管理部１９０を含むことができる。
【００８７】
図９は管理部によって管理される分類アイコンを示す概略図である。
【００８８】
図９に示した画面は、携帯端末１０に表示される分類アイコン（ｉ）を示す。図９には分類アイコン（ｉ）として、特定の人物に対するコンテンツが例示される。
【００８９】
分類アイコン（ｉ）は、携帯端末１０の他にも、コンピュータやＴＶなどの様々な部材に表示できる。
【００９０】
管理部１９０は、アイコン部１１０またはテーマ部１２０で分類された分類アイコン（ｉ）の質を高め、多くのユーザーが分類アイコンを訪問するように誘導し、分類アイコン（ｉ）の主人公が分類アイコン（ｉ）を管理するように誘導する手段を提供することができる。
【００９１】
一例として、管理部１９０は、分類アイコン（ｉ）に様々な選択メニューｉ０、ｉ１、ｉ２、ｉ３、ｉ４、ｉ５を設定し、選択メニューを用いて分類アイコン（ｉ）の質的改善、訪問者数の増加、分類アイコン主体の管理改善を誘導することができる。
【００９２】
選択メニューｉ０は、分類アイコン（ｉ）に対するイメージが表示でき、選択されると、分類アイコン（ｉ）の詳細情報が表示できる。ｉ０メニューの周辺には分類アイコン（ｉ）の名前「ｎａｍｅ」などが表示できる。選択メニューｉ０は、イメージだけでなく、様々なポップアップメニューなどによって実現されることもできる。
【００９３】
選択メニューｉ１が選択されると、ファンページが携帯端末などに表示できる。
【００９４】
選択メニューｉ２は、リンクメニューであって、選択されると、クラウドファンディングページが表示できる。
【００９５】
選択メニューｉ３は、ファンディング生成メニューであって、選択されると、クラウドファンディングページを生成するファンディング生成ページが表示できる。
【００９６】
選択メニューｉ４は、アイコン主体に関連する各種エピソードや動画像などが表示できる。
【００９７】
選択メニューｉ５は、選択されると、該当分類アイコン（ｉ）に添付されたコメントが表示できる。
【００９８】
図１０はファンページを示す概略図である。
【００９９】
管理部１９０は、分類アイコン（ｉ）に表示される選択メニューｉ１が選択されると、ファンページ（ｐ）を携帯端末などに提供することができる。よって、分類アイコン（ｉ）を訪問したユーザーは、選択メニューｉ１を選択することによりファンページ（ｐ）を利用することができる。
【０１００】
管理部１９０は、分類アイコン（ｉ）のファンページ（ｐ）を生成し、分類アイコン（ｉ）のファンとして登録したユーザーの現況情報をファンページ（ｐ）に表示することができる。また、管理部１９０は、分類アイコン（ｉ）のファンとして登録したユーザーに限って選択メニューｉ１を提供することもできる。
【０１０１】
管理部１９０は、第４設定基準に基づいて、分類アイコン（ｉ）のファンとして登録したユーザーの評価を分類することができる。管理部１９０は、設定等級以上に分類されたランクユーザーに分類アイコン（ｉ）の編集権限を与えることができる。これによれば、分類アイコン（ｉ）の訪問者は、自分の好む分類アイコン（ｉ）の主人公に対する編集権限を持つために、分類アイコン（ｉ）に対する活動を盛んに行うことができる。したがって、分類アイコン（ｉ）の訪問者が増加し、各訪問者の訪問回数が増加しうる。また、多くの訪問者が分類アイコン（ｉ）を編集するので、分類アイコン（ｉ）の内容が増加し、信頼度が高くなる質的改善が図れる。また、ファンとして登録したユーザーが多くなると、分類アイコン（ｉ）の主人公も、分類アイコン（ｉ）に対する管理に努力を傾けるとともに、ユーザーのコメントに誠意のある答弁を行うことができる。したがって、時間経過に伴って分類アイコン（ｉ）の質が全般的に向上し、訪問者数も持続的に増加しうる。
【０１０２】
第４設定基準は、分類アイコン（ｉ）を訪問した回数、分類アイコン（ｉ）に対するコメントを付けた回数、分類アイコン（ｉ）を広報した回数、分類アイコン（ｉ）に支援した金額などを含むことができる。分類アイコン（ｉ）に支援した金額は、管理部１９０によって分類アイコン（ｉ）の主人公に支給できる。現金を直接渡すことが難しいので、管理部１９０は、分類アイコン（ｉ）内で使用可能なｉ−コイン（ｉ−ｃｏｉｎ）を生成することができる。ユーザーが様々な方法でｉ−コインを取得した後、分類アイコン（ｉ）にｉ−コインを提供すると、管理部は分類アイコン（ｉ）に提供されたｉ−コインに対応する金額を分類アイコン（ｉ）の主人公に提供することができる。
【０１０３】
図１５は分類アイコンの詳細情報を示す概略図である。
【０１０４】
分類アイコン（ｉ）から選択メニューｉ０が選択されると、管理部１９０は、分類アイコン（ｉ）自体に対する詳細情報、または分類アイコン（ｉ）の主人公に対する詳細情報を表示することができる。
【０１０５】
図１５には分類アイコン（ｉ）の主人公に対する詳細情報が表示されている。
【０１０６】
一例として、詳細情報（ｂ）は「Ｂｉｏｇｒａｐｈｙ」の項目ｂ１、「Ｆｉｌｍｏｇｒａｐｈｙ」項目ｂ２、「Ａｂｏｕｔ」項目ｂ３を含むことができる。
【０１０７】
「Ｂｉｏｇｒａｐｈｙ」項目ｂ１には性別（ｇｅｎｄｅｒ）情報、国籍（ｎａｔｉｏｎａｌｉｔｙ）情報、生年月日（ｂｉｒｔｈｄａｙ）情報、年齢（ａｇｅ）情報、身長（ｈｅｉｇｈｔ）情報が含まれ得る。
【０１０８】
「Ｆｉｌｍｏｇｒａｐｈｙ」項目ｂ２には職業（ｊｏｂ）情報、所属（ｍａｎａｇｅｍｅｎｔ  ｃｏｍｐａｎｙ）情報が含まれ得る。
【０１０９】
「Ａｂｏｕｔ」項目ｂ３には紹介情報が含まれ得る。
【０１１０】
設定等級以上のランクユーザーは各情報（ｂ）を編集することができる。
【０１１１】
一例として、図１５においてランクユーザーによって「Ｂｉｏｇｒａｐｈｙ」項目が選択されると、管理部１９０は、性別、国籍、生年月日、年齢、身長を編集することが可能な編集メニューｅ１を携帯端末１０などへ提供することができる。
【０１１２】
図１６は編集メニューを示す概略図である。
【０１１３】
編集メニューｅ１には、性別、国籍、生年月日、身長などの情報を修正することが可能なメニューが含まれ得る。ランクユーザーは、編集メニューｅ１を用いて分類アイコン（ｉ）に対する情報を修正することができる。ところが、ランクユーザーは間違っている内容で詳細情報を編集するおそれがある。詳細情報に対する編集エラーを最小化するために、管理部は、ランクユーザーによって分類アイコン（ｉ）が編集されると、編集内容に対する投票メニューｂ４を分類アイコン（ｉ）に表示することができる。
【０１１４】
図１７は編集メニューを用いて編集された分類アイコンを示す概略図である。
【０１１５】
ランクユーザーによって編集が行われると、管理部１９０は、編集内容を直ぐに分類アイコン（ｉ）に反映する代わりに、投票メニューｂ４を提供することができる。
【０１１６】
投票メニューｂ４は、編集内容に対する可否判定のためのもので、分類アイコン（ｉ）を単純訪問したユーザーまたはファンとして登録したユーザーによって投票できる。
【０１１７】
管理部１９０は、投票メニューｂ４を介して行われた編集内容に対する賛成の数が設定値を満足した場合にのみ、分類アイコン（ｉ）に編集内容を反映することができる。具体的に、管理部１９０は、投票中の詳細情報を既存の情報とは異なる色相などで区分して表示することができる。投票結果が賛成に決定されると、投票中の詳細情報、言い換えれば、編集内容は既存の情報と同じ色相に変更され、投票メニューｂ４が除去されることが可能である。
【０１１８】
再び図１０に戻って、ファンページ（ｐ）には、第４設定基準に基づいて設定されたユーザーの等級「Ｍｙ  ｒａｎｋｉｎｇ」が表示できる。例えば、図１０には該当ユーザーの等級が１５６位であると表示されている。ファンページ（ｐ）には、上位等級を持つランクユーザー情報ｐ１が表示できる。ファンページ（ｐ）には、該当分類アイコンのファンとして登録したユーザーの数「Ｔｏｔａｌ」が表示できる。図１０には、分類アイコン（ｉ）のファンとして６０名のユーザーが登録された状態が表示される。
【０１１９】
ファンページ（ｐ）には、分類アイコン（ｉ）に関連する動画像などが「Ｅｐｉｓｏｄｅ」メニューなどを介して提供できる。該当動画像は分類アイコン（ｉ）に表示される選択メニューｉ４と同一であってもよい。また、ファンページ（ｐ）には等級順位メニューｐ２「ｃｈａｒｔ」が設けられてもよい。ユーザーが等級順位メニューｐ２を選択すると、管理部１９０は等級表を提供することができる。
【０１２０】
図１１は等級順位表を示す概略図である。
【０１２１】
ファンページ（ｐ）から等級順位メニューｐ２が選択されると、ランクユーザーが順位別に示されている等級表が表示できる。
【０１２２】
等級表には等級の高い順から低い順に表示できる。このとき、各ランクユーザーの等級が一緒に表示できる。ユーザーの等級は例えばＬｅｖｅｌ５、Ｌｅｖｅｌ４のように区分できる。
【０１２３】
図１２はクラウドファンディングページを示す概略図である。
【０１２４】
管理部１９０は分類アイコン（ｉ）に選択メニューｉ２に該当するリンクメニューを表示することができる。管理部１９０は、ユーザーによってリンクメニューが選択されると、リンクメニューにリンクされたクラウドファンディングページｆ１を表示することができる。
【０１２５】
クラウドファンディングページｆ１は、分類アイコン（ｉ）または該当分類アイコンの主人公に資金を支援するためのページであってもよい。管理部１９０は、クラウドファンディングページｆ１で使用される貨幣に該当するｉ−コイン（ｉ−ｃｏｉｎ）を生成することができる。
【０１２６】
クラウドファンディングページｆ１は、分類アイコン（ｉ）のファンとして登録したユーザーによって生成できる。例えば、図１２にはランクユーザー「ａｂｃ１」が開設したクラウドファンディングページが表示されている。
【０１２７】
クラウドファンディングページｆ１には目的、目標金額「Ｇｏａｌ」および目標期間「Ｐｅｒｉｏｄ」が表示できる。クラウドファンディングページの目的は、例えば「Ｐａｙ  ｔｈｅ  ｍｅａｌ」のように分類アイコン（ｉ）の主人公に食費を支援することであってもよい。
【０１２８】
目標金額はｉ−コイン７５０，０００ポイントであり、目標期間は２６日であって「Ｄ−２６」のように表示できる。
【０１２９】
クラウドファンディングページｆ１に表示される参加メニュー「Ｐａｒｔｉｃｉｐａｔｅ」が選択されると、分類アイコン（ｉ）または主人公にｉ−コインを提供することが可能な提供メニューｆ２が表示できる。
【０１３０】
図１３は提供メニューを示す概略図である。
【０１３１】
ｉ−コインの提供が可能な提供メニューｆ２にはクラウドファンディングの約款「Ｆｕｎｄｉｎｇ  ｔｅｒｍｓ」が表示できる。提供メニューｆ２には、ｉ−コインを入力することが可能な入力フィールド「ＰＯＩＮＴ」が設けられてもよい。また、提供メニューｆ２には、該当ユーザーが保有している或いは使用可能な可用ポイント「ａｖａｉｌａｂｌｅ  ｐｏｉｎｔ」が表示できる。
【０１３２】
ユーザーが入力フィールドに自分の希望するｉ−コイン金額を入力し、確認ボタン「ＥＮＴＥＲ」を押すことができる。管理部１９０は、クラウドファンディングページｆ１または提供メニューｆ２を利用するユーザーによって入力されたｉ−コインを累算することができる。管理部１９０は、目標期間中に累算されたｉ−コインの総額数が目標金額を満たせば、目標金額を分類アイコン（ｉ）に提供することができる。もし、目標期間中に累算されたｉ−コインの総額数が目標金額に達しなければ、管理部１９０は各ユーザーに本人の投資したｉ−コインを返すことができる。
【０１３３】
ｉ−コインは、分類アイコン（ｉ）のファンとして登録したユーザーが分類アイコン（ｉ）に提供することができ、現金化が可能である。管理部１９０は、ユーザーがお金を支払った分だけ、該当ユーザーにｉ−コインを提供することができる。或いは、ユーザーが分類アイコン（ｉ）で活動した量、例えばコメントを付けた回数や、クラウドファンディングページｆ１を開設した回数などに応じて、該当ユーザーにｉ−コインを提供することができる。管理部１９０は、ユーザーがログインした回数、または分類アイコン（ｉ）を訪問した回数に応じて該当ユーザーにｉ−コインを提供することができる。分類アイコン（ｉ）で活動した量、ログイン回数、訪問回数などによってｉ−コインが一部提供されるので、ユーザーはｉ−コインの獲得のために分類アイコン（ｉ）を頻繁に訪問するようになるであろう。よって、分類アイコン（ｉ）に対する訪問数が増加し、コメントなどが多く付けられるので、分類アイコン（ｉ）の質が改善されるという効果がある。
【０１３４】
また、分類アイコン（ｉ）または主人公を後援したがっているユーザーに簡便に支援することが可能な方案を提供することができる。
【０１３５】
クラウドファンディングページｆ１は、コンテンツ提供装置の管理者、分類アイコン（ｉ）の主人公によって開設されるのではなく、分類アイコン（ｉ）を訪問したユーザーによって開設できる。
【０１３６】
管理部１９０は、分類アイコン（ｉ）に選択メニューｉ３に該当するファンディング生成メニューを表示することができる。管理部１９０は、分類アイコン（ｉ）のファンとして登録したユーザーがファンディング生成メニューを選択すると、ファンディング生成ページ（ｋ）を生成することができる。
【０１３７】
図１４はファンディング生成ページを示す概略図である。
【０１３８】
ファンディング生成ページ（ｋ）には、題目「ｔｉｔｌｅ」、目的「ｏｂｊｅｃｔ」、目標金額「Ｇｏａｌ」、目標期間「Ｐｅｒｉｏｄ」の入力フィールドが設けられてもよい。
【０１３９】
ユーザーが各入力フィールドを満たした後、ファンディング生成ページ（ｋ）に設けられたローンチングボタン「Ｌａｕｎｃｈｉｎｇ」を選択すると、管理部１９０は、分類アイコン（ｉ）に選択メニューｉ２に該当するリンクメニューを表示することができる。リンクメニューは、現金化が可能なｉ−コインが取引されるクラウドファンディングページｆ１にリンクされるので、徹底した審査が要求される。このときの審査はコンテンツ提供装置の管理者によって実行できる。
【０１４０】
管理部１９０は、分類アイコン（ｉ）のファンとして登録したユーザーによってファンディング生成ページ（ｋ）が登録され、登録されたファンディング生成ページ（ｋ）に該当するクラウドファンディングページｆ１に対する審査結果を受信することができる。管理部１９０は、審査結果に基づいて分類アイコン（ｉ）にクラウドファンディングページｆ１のリンクメニューを表示することができる。審査の結果、不適合であると決定されると、管理部１９０は、分類アイコン（ｉ）にリンクメニューを表示せずに、クラウドファンディングページｆ１を開設したユーザーに該当事実を通知することができる。
【０１４１】
図１８はコメントメニューを示す概略図であり、図１９はアイコンナウ（ｉｃｏｎ  ｎｏｗ）入力ウィンドウを示す概略図である。
【０１４２】
分類アイコン（ｉ）に表示された選択メニューｉ５が選択されると、複数のユーザーが作成したコメントを確認することが可能なコメントメニュー（ｎ）が表示できる。このとき、管理部１９０は、分類アイコン（ｉ）のコメントを時間の逆順で表示することができる。これにより、分類アイコン（ｉ）に表示される選択メニューｉ５が選択されると、最近のコメントが一番上に表示できる。
【０１４３】
コメントメニュー（ｎ）における最新コメントの上にはアイコンナウ（ｉｃｏｎ  ｎｏｗ）メニューｎ１が表示できる。
【０１４４】
管理部１９０は、コメントに設けられたアイコンナウ（ｉｃｏｎ  ｎｏｗ）メニューｎ１が選択されると、イメージおよびテキストの少なくとも一つを入力することが可能なアイコンナウ入力ウィンドウｎ２を表示することができる。管理部１９０は、入力ウィンドウの下に、既に入力された最新コメントをリアルタイムで表示することができる。
【０１４５】
コメントは他のユーザーのコメントに対する答弁などからなる場合が多い。ところが、一般なコメントウィンドウによれば、既に入力された最新コメントが見えないようにコメントウィンドウが表示されるので、現在コメント作成中のユーザーは、既に入力された最新コメントを確認しながらコメントを付けることができない。しかし、本実施例によれば、アイコンナウ入力ウィンドウの下に、既に入力された他のユーザーの最新コメントがリアルタイムで表示されるので、コメント入力中のユーザーは、他のユーザーの最新コメントをリアルタイムで確認しながらコメントの内容を整理することができる。
【０１４６】
併せて、本発明によれば、入力ウィンドウにはテキスト（ｔｅｘｔ）だけでなく、イメージ、動画像などが一緒に入力できるので、コメントの質が改善されるという効果がある。
【０１４７】
コメントに類似するアイコンナウ（ｉｃｏｎ  ｎｏｗ）は、分類アイコン（ｉ）のファンとして登録したユーザーにのみ表示できる。
【０１４８】
以上、本発明に係る実施例を説明したが、これらの実施例は例示的なものに過ぎない。当該分野における通常の知識を有する者であれば、これらの実施例から様々な変形及び均等な範囲の実施が可能であることを理解するであろう。よって、本発明の真正な技術的保護範囲は次の特許請求の範囲によって定められるべきである。
【符号の説明】
【０１４９】
１０    携帯端末
１１０    アイコン部
１２０    テーマ部
１３０    アップロード部
１４０    ショッピング部
１５０    分析部
１６０    案内部
１７０    ビーコン
１９０    管理部
【図１】
2017142763.tif 000003
【図２】
2017142763.tif 000004
【図３】
2017142763.tif 000005
【図４】
2017142763.tif 000006
【図５】
2017142763.tif 000007
【図６】
2017142763.tif 000008
【図７】
2017142763.tif 000009
【図８】
2017142763.tif 000010
【図９】
2017142763.tif 000011
【図１０】
2017142763.tif 000012
【図１１】
2017142763.tif 000013
【図１２】
2017142763.tif 000014
【図１３】
2017142763.tif 000015
【図１４】
2017142763.tif 000016
【図１５】
2017142763.tif 000017
【図１６】
2017142763.tif 000018
【図１７】
2017142763.tif 000019
【図１８】
2017142763.tif 000020
【図１９】
2017142763.tif 000021